(57)【要約】      （修正有）【課題】蓋部を外すことなく内容物の色等を視認することができ、さらに、蛍光灯や紫外線などの外光の影響を防ぐことが可能な化粧料容器を提供する。【解決手段】容器１の蓋部３に開閉自在に取り付けられ、閉時には蓋部３の天面部を覆うとともに開時には天面部が露出するフィルター４を備え、天面部の少なくとも一部は容器１の内容物を外部から識別可能な可視光透過率を有する化粧料容器１。【選択図】図２
0003228664.tif 000002
【実用新案登録請求の範囲】
【請求項１】
容器の蓋部に開閉自在に取り付けられ、閉時には該蓋部の天面部を覆うとともに開時には天面部が露出するフィルターを備え、該天面部の少なくとも一部は容器の内容物を外部から識別可能な可視光透過率を有する化粧料容器。
【請求項２】
前記天面部の少なくとも一部の可視光透過率は５０〜１００％であることを特徴とする請求項１に記載の化粧料容器。
【請求項３】
前記フィルターの可視光透過率は０〜８０％であることを特徴とする請求項１または２に記載の化粧料容器。
【請求項４】
前記フィルターと前記天面部を合わせた可視光透過率が０〜３０％であることを特徴とする請求項２または３に記載の化粧料容器。
【請求項５】
前記天面部には開口部が形成されており、該開口部には容器の内容物を外部から識別可能な可視光透過率を有する窓部が嵌め込まれていることを特徴とする請求項１ないし４のいずれかに記載の化粧料容器。
【請求項６】
前記フィルターの上面または下面、もしくはその両面に鏡が設けられていることを特徴とする請求項１ないし５のいずれかに記載の化粧料容器。
【請求項７】
内容物が棒状化粧料である請求項１ないし６のいずれかに記載の化粧用容器。
【考案の詳細な説明】
【技術分野】
【０００１】
本発明は、蓋部を外すことなく簡単に内容物を識別可能な化粧料容器に関する。
【背景技術】
【０００２】
従来、口紅などに代表される棒状化粧料の容器は、棒状化粧料を筒状のスリーブ内において繰り上げもしくは繰り下げる機構を有する容器本体と、スリーブに冠着可能な蓋部を備えているものが一般的である。
【０００３】
このような一般的な棒状化粧料容器の場合、蓋部を付けたままの状態では外部から内容物である化粧料の色などを視認することができないため、その都度蓋部を取り外さなければならなかった。そこで特許文献１、２では、蓋部の一部もしくは全部を透明な材質により形成し、蓋部を付けたままでも外部から化粧料の色を確認することができるようにしたものが提案されている。
【０００４】
しかしながら、特許文献１、２のように蓋部の一部もしくは全部を透明な材質で形成すると、保管時などの使用していない時でも蛍光灯や紫外線などの外光の影響により化粧料の褐色、変色、変質などのおそれがあった。
【先行技術文献】
【特許文献】
【０００５】
【特許文献１】特表２０１４−５２２２９３
【特許文献２】実開平０３−０００９１４
【考案の概要】
【考案が解決しようとする課題】
【０００６】
そこで本考案は、従来の化粧料容器のかかる欠点を克服し、蓋部を外すことなく簡単に内容物を視認することができ、さらに、蛍光灯や紫外線などの外光の影響を防ぐことが可能な化粧料容器の提供をその課題とするものである。
【課題を解決するための手段】
【０００７】
本考案は、上記課題を解決するものであり、容器の蓋部に開閉自在に取り付けられ、閉時には該蓋部の天面部を覆うとともに開時には天面部が露出するフィルターを備え、該天面部の少なくとも一部は容器の内容物を外部から識別可能な可視光透過率を有する化粧料容器である。
【０００８】
また本考案は、前記天面部の少なくとも一部の可視光透過率は５０〜１００％であることを特徴とする化粧料容器である。
【０００９】
また本考案は、前記フィルターの可視光透過率は０〜８０％であることを特徴とする化粧料容器である。
【００１０】
また本考案は、前記フィルターと前記天面部を合わせた可視光透過率が０〜３０％であることを特徴とする化粧料容器である。
【００１１】
また本考案は、前記天面部には開口部が形成されており、該開口部には容器の内容物を外部から識別可能な可視光透過率を有する窓部が嵌め込まれていることを特徴とする化粧料容器である。
【００１２】
また本考案は、前記フィルターの上面または下面、もしくはその両面に鏡が設けられていることを特徴とする化粧料容器である。
【００１３】
さらに本考案は、内容物が棒状化粧料である化粧用容器である。
【考案の効果】
【００１４】
本考案にかかる化粧料容器は、天窓部が内容物の色を外部から識別可能な程度の可視光透過率を有していることにより、蓋部を外すことなくフィルターを開けただけで簡単に内容物を外部から視認することができる。
【００１５】
また、本考案にかかる化粧料容器は、フィルターを閉めた状態で、内容物に影響を与えうる蛍光灯や紫外線などの外光をカットすることが可能なため、外光の影響による化粧料の褐色、変色、変質などを防ぐことができる。
【図面の簡単な説明】
【００１６】
【図１】フィルターを閉じた状態における本考案の化粧料容器の斜視図。
【図２】フィルターを開けた状態における本考案の化粧料容器の斜視図。
【図３】（ａ）フィルターを開けた状態における異なる実施態様の化粧料容器の平面図。（ｂ）フィルターを閉じた状態における同実施態様の化粧料容器の平面図。
【図４】（ａ）フィルターを開けた状態における異なる実施態様の化粧料容器の平面図。（ｂ）フィルターを閉じた状態における同実施態様の化粧料容器の平面図。
【考案を実施するための形態】
【００１７】
以下、本考案の化粧料容器の実施態様を、図面に基づいて具体的に説明する。なお、本考案はこれら実施態様に何ら制約されるものではない。
【００１８】
本考案の化粧料容器１は、図１に示すように、棒状化粧料を収納する本体２と、本体２の上部に設けられた筒状のスリーブ（図示せず）に冠着された蓋部３を備え、使用時には蓋部３をスリーブから外し、スリーブに対して本体２を回転させて内部の化粧料を繰り出す。
【００１９】
本考案の化粧料容器１の蓋部３には、開閉自在に取り付けられたフィルター４が設けられている。フィルター４は、ヒンジ部５を介して蓋部３に取り付けられており、図１に示すように、フィルター４を閉じた状態では蓋部３の天面部を覆い隠している。また、ヒンジ部５の反対側には係止突起８が設けられており、蓋部３の上部に設けられた係止凹部９に係止可能に形成されている。
【００２０】
なお、フィルター４の蓋部３に対する取り付け方法としては、フィルター４が開閉自在に蓋部３に取り付けられれば図１の態様に限定されず、図３、４に示すように、蓋部３の周壁付近にヒンジ部５により軸支され、かかるヒンジ部５を中心にフィルター４を水平回動させることによりフィルター４を開閉するようにしてもよい。
【００２１】
フィルター４を開けた状態では、図２に示すように、蓋部３の天面部が外部に露出する。本実施態様の蓋部３の天面部には開口部３１が形成されており、該開口部３１には窓部６が嵌め込まれている。かかる窓部６は、化粧料容器１の内容物を外部から識別可能な程度の可視光透過率を有している。具体的には、その可視光透過率は窓部６を介して内容物の色が識別可能な範囲であることが好ましく、５０〜１００％の範囲が好ましい。このように、窓部６が内容物を外部から識別可能な程度の可視光透過率を有していることにより、蓋部３を外すことなくフィィルター４を開けただけで容易に内容物の色等を外部から視認することができる。さらに、フィルター４を開けても蓋部３の天面部は窓部６により閉塞されているため、内部に埃などが入り込むおそれもない。
【００２２】
窓部６には、内容物の色等の視認を妨げるものでなければ、本実施態様のようにその表面にデザイン性を有するカットを施してもよく、またその裏面にも表面と同一または異なるカットを施してもよい。
【００２３】
窓部６の材質は、内容物の色を外部から識別可能な程度の可視光透過率を有しているものであれば特に限定されないが、ＰＭＭＡ（ポリメタクリル酸メチル）、ＳＡＮ（アクリロニトリルスチレン共重合体）、ＰＣＴ（ポリシクロへキシレンジメチレンテレフタレート）、ＡＢＳ（アクリロニトリル・ブタジエン・スチレン共重合体）、ＰＥＴ（ポリエチレンテレフタレート）、ガラスなどを好適に使用することができる。また、窓部６の色は、無色透明、有色透明、無色半透明、さらには有色半透明のものであってもよい。    
【００２４】
なお、本実施態様では、窓部６と蓋部３はそれぞれ異なる材質の部材で構成されているが、これらを同一の材質により一体に形成してもよい。また、本実施態様のように、内容物の色を外部から識別可能な程度の可視光透過率を有している部分は天面部の一部（窓部６）のみであってもよいが、天面部を同一の材質で形成した場合などは、天面部の全部において内容物を外部から識別可能な程度の可視光透過率を有するように形成してもよい。また、天面部のみならず、蓋部３の側面の一部を透明に形成してもよい。さらに、窓部６に金属等を蒸着させた後、レーザー光で所望な模様に金属層を除去し、透明な部分を形成しても良い。
【００２５】
一方、フィルター４は、フィルター４を閉めた状態で窓部６と重なったときに、その重なった部分において、内容物に影響を与えうる蛍光灯や紫外線などの外光を一定量カットすることが可能な可視光透過率を有しているものが好ましい。詳しくは、フィルター４単独の可視光透過率としては０〜８０％が好ましく、フィルター４を閉めたときのフィルター４と天窓部６を合わせた可視光透過率は０〜３０％の範囲が好ましい。すなわち、フィルター４は外光を完全に遮断する可視光透過率が０％のものであってもよい。
【００２６】
また、フィルター４全部において上記の可視光透過率の範囲に形成してもよいが、窓部６がその一部において内容物の色を外部から識別可能な程度の可視光透過率を有するように形成されている場合、フィルター４を閉めた状態で窓部６の当該一部に対応するフィルター４の一部のみを前述の可視光透過率の範囲になるように形成してもよい。例えば、窓部６の中心部のみ内容物の色を外部から識別可能な程度の可視光透過率の範囲に形成して、フィルター４の対応する中心部のみ前述の可視光透過率の範囲になるように形成し、それ以外の部分を透明にしてもよい。
【００２７】
また、図３（ａ）のように、フィルター４および窓部６に上記の可視光透過率の範囲に形成された金属等を蒸着させた後、レーザー光で一部の金属層を除去し、残った金属層４１、６１により縞模様を形成してもよい。これらの金属層４１、６１は、フィルター４を閉めた状態では重ならないように互い違いに形成されている。かかる構成により、フィルター４を開いた状態では金属層６１の間の透明部分から内容物を識別することができ、図３（ｂ）のようにフィルター４を閉じた状態では金属層４１、６１により透明部分が覆い隠されて外光を有効に遮断することができる。
【００２８】
さらに、図４（ａ）に示すように、フィルター４と窓部６にそれぞれ偏光膜４２、６２を取り付けるとともに、フィルター４を閉めた状態でそれらの偏光膜４２、６２の向きが直交するようにして、直交した際の可視光透過率を上記の範囲になるように配置してもよい。これにより、フィルター４を開いた状態では偏光膜４２を通して内容物を識別することができ、図４（ｂ）のようにフィルター４を閉じた状態では直交する偏光膜４２、６２により外光を遮断することができる。
【００２９】
フィルター４の材質は、窓部６と重なったときに、内容物に影響を与えうる蛍光灯や紫外線などの外光を一定量カットすることが可能な可視光透過率を有しているものであれば特に限定されないが、蓋部３のその他の部分と同じ材質で形成することが好ましく、ＰＭＭＡ（ポリメタクリル酸メチル）、ＳＡＮ（アクリロニトリルスチレン共重合体）、ＰＣＴ（ポリシクロへキシレンジメチレンテレフタレート）、ＡＢＳ（アクリロニトリル・ブタジエン・スチレン共重合体）、ＰＥＴ（ポリエチレンテレフタレート）、ガラス、金属などを好適に使用することができる。
【００３０】
フィルター４には、本実施態様のようにその表面にデザイン性を有する意匠を施しても良い。また、フィルター４の下面には本実施態様のように鏡７を設けてもよい。鏡７を設ける位置はフィルター４の下面に限らず、フィルター４の上面であってもよく、さらに、フィルター４の上面と下面の両面に設けてもよい。
【産業上の利用可能性】
【００３１】
本考案の化粧料容器１は棒状化粧料に限らず、ジャーボトルタイプやヒンジ付きコンパクト容器にも広く利用することができ、形状は円に限らず、楕円、角型、ハート型等様々な形状とすることができる。また内容物の視認方法は色に限らず、形状やその他識別可能なものであれば特に限定されない。
【符号の説明】
【００３２】
１  …  …  化粧料容器
２  …  …  本体
３  …  …  蓋部
４  …  …  フィルター
５  …  …  ヒンジ部
６  …  …  窓部
７  …  …  鏡
８  …  …  係止突起
９  …  …  係止凹部
３１  …  …  開口部
４１  …  …  金属層
４２  …  …  偏光膜
６１  …  …  金属層
６２  …  …  偏光膜
【図１】
0003228664.tif 000003
【図２】
0003228664.tif 000004
【図３】
0003228664.tif 000005
【図４】
0003228664.tif 000006